(57)【特許請求の範囲】
【請求項１】
異なる数の送信アンテナと異なる空間的方法能力とを備えた少なくとも２個の通信ノードを備える通信ネットワークにおいて、結合空間符号化の空間符号テキストを分配するための制御器ノード（１０）における方法であって、
少なくとも第一の空間符号テキストと第二の空間符号テキストとをもたらすシンボルを結合空間符号化するステップ（Ｔ２、Ｓ１１）と、
前記送信アンテナのサービスエリアの位置とユーザ装置からのフィードバックとに基づき、通信ネットワークの前記送信アンテナを少なくとも第一の送信アンテナ・グループと第二の送信アンテナ・グループとにグループ化するステップ（Ｔ４、Ｓ１２）と、
前記第一の空間符号テキストを第一の送信アンテナ・グループに、前記第二の空間符号テキストを第二の送信アンテナ・グループに分配するステップ（Ｔ６）と
を有することを特徴とする方法。
【請求項２】
異なる空間符号テキストの分配を、通信ネットワーク内のユーザ装置が両方の空間符号テキストを受信する方法で前記ユーザ装置に空間符号テキストを分配することで行えるよう、前記グループ化するステップ（Ｔ４、Ｓ１２）は、前記送信アンテナのサービスエリアの位置に基づくことを特徴とする請求項１に記載の方法。
【請求項３】
前記第一の空間符号テキストと前記第二の空間符号テキストとを、前記送信アンテナのサービスエリアの位置に基づいて交互に送信アンテナに分配するように、前記グループ化するステップ（Ｔ４、Ｓ１２）を構成することを特徴とする請求項１または２に記載の方法。
【請求項４】
前記送信アンテナを再グループ化するステップ（Ｔ１０、Ｓ１３）には、次に送信アンテナの再グループ化に使用する、前記ユーザ装置と送信アンテナとの距離またはスループットに基づいて選択された送信アンテナ・グループを表示するフィードバックをユーザ装置から受信するステップ（Ｔ８）を含むことを特徴とする請求項１乃至３のいずれか一項に記載の方法。
【請求項５】
前記再グループ化するステップ（Ｔ１０、Ｓ１３）は、複数のユーザ装置からのフィードバックの統計値に基づく
ことを特徴とする請求項４に記載の方法。
【請求項６】
前記グループ化する（Ｔ４、Ｓ１２）ステップはまた、制御器ノード内に格納したノードの所定の能力に基づくことを特徴とする請求項１乃至５のいずれか一項に記載の方法。
【請求項７】
前記通信ネットワークの全てのノードのサービスエリアの位置は、前記制御器ノードの最初のセットアップの間に検索され（Ｔ１）、周期的に、および新規ノードが通信ネットワークに追加された場合に、あるいはそのいずれかで更新されることを特徴とする請求項１乃至６のいずれか一項に記載の方法。
【請求項８】
前記通信ネットワークにはマルチメディア・ブロードキャスト単一周波数ネットワークを含み、または、前記結合空間符号化には空間時間ブロック符号化またはアンテナ別速度制御を含み、あるいはその両方であることを特徴とする請求項１乃至７のいずれか一項に記載の方法。
【請求項９】
異なる数の送信アンテナと異なる空間的方法能力とを備えた少なくとも２個の通信ノードを通信ネットワーク内に備える該通信ネットワークにおいて、結合空間符号化の空間符号テキストをノードに分配するよう構成した制御器ノード（１０）であって、
シンボルを少なくとも第一の空間符号テキストと第二の空間符号テキストとに結合空間符号化するよう、かつ、送信アンテナのサービスエリアの位置とユーザ装置からのフィードバックとに基づき、通信ネットワークの送信アンテナを少なくとも第一の送信アンテナ・グループと第二の送信アンテナ・グループとにグループ化するよう構成した制御ユニット（１０１）と、
前記第一の空間符号テキストを前記第一の送信アンテナ・グループに、前記第二の空間符号テキストを前記第二の送信アンテナ・グループに分配するよう構成したネットワーク・インタフェース（１０９）と
を備えることを特徴とする制御器ノード（１０）。
【請求項１０】
異なる数の送信アンテナと異なる空間的方法能力とを備えた少なくとも２個の通信ノードを通信ネットワーク内に備える該通信ネットワーク内の第二の通信ノード（２０）における方法であって、
前記送信アンテナのサービスエリアの位置とユーザ装置からのフィードバックとに基づき、結合空間符号化の第一の空間符号テキストを制御器ノード（１０）から受信するステップ（Ｖ２）と、
前記第二の通信ノード（２０）の第一の送信アンテナのセル内のユーザ装置に第一の空間符号テキストを分配するステップ（Ｖ６）と
を有することを特徴とする方法。
【請求項１１】
前記第一の送信アンテナのセル内の第一の送信アンテナから無線チャネルへのデータの送信に第一の空間符号テキストを適用させるよう、動作状態にある前記第二の通信ノード（２０）をセットアップし（Ｖ４）、該データを送信するステップを更に有することを特徴とする請求項１０に記載の方法。
【請求項１２】
ユーザ装置から前記第一の空間符号テキストに関するフィードバックを受信するステップであって、該フィードバックは、前記ユーザ装置と送信アンテナとの距離またはスループットに基づく第一の空間符号テキストの選択を表示するステップ（Ｖ８）と、
前記通信ネットワークの制御器ノードに前記フィードバックを転送するステップ（Ｖ１０）とを更に有することを特徴とする請求項１０または１１に記載の方法。
【請求項１３】
異なる数の送信アンテナと異なる空間的方法能力とを備えた少なくとも２個の通信ノードを備える通信ネットワークにおいて、通信ネットワーク内の結合空間符号化の動作設定をセットアップするよう構成した第二の通信ノード（２０）であって、
前記送信アンテナのサービスエリアの位置とユーザ装置からのフィードバックとに基づいて、制御器ノードから結合空間符号化の第一の空間符号テキストを受信するよう構成したネットワーク・インタフェース（２０９）と、
第一の送信装置（２１０）を通じて、第一の空間符号テキストを前記第一の送信装置（２１０）のセル内のユーザ装置に分配するよう構成した制御ユニット（２０１）と
を備えることを特徴とする第二の通信ノード（２０）。
【請求項１４】
結合空間符号化の空間符号テキストを使用して動作セットアップを選択するため、異なる数の送信アンテナと異なる空間的方法能力とを備えた少なくとも２個の通信ノードを備える通信ネットワーク内のユーザ装置（４０）における方法であって、
第二の通信ノードから第一の空間符号テキストを有する第一の信号を受信するステップ（Ｒ２）と、
第三の通信ノードから第二の空間符号テキストを有する第二の信号を受信するステップ（Ｒ４）と、
前記ユーザ装置と送信アンテナとの距離またはスループットに基づいて前記第一の信号および前記第二の信号を評価するステップ（Ｒ６）と、
前記評価に基づき空間符号テキストを選択するステップ（Ｒ８）と、
前記第二の通信ノードに対して前記選択を表示するフィードバックを送信するステップと
を有することを特徴とする方法。
【請求項１５】
異なる数の送信アンテナと異なる空間的方法能力とを備えた少なくとも２個の通信ノードを備える通信ネットワークにおいて、結合空間符号化の空間符号テキストを使用して動作セットアップを選択するよう構成したユーザ装置（４０）であって、
第二の通信ノードから第一の空間符号テキストを有する第一の信号と、第三の通信ノードから第二の空間符号テキストを有する第二の信号とを受信するよう構成した受信装置（４０３）と、
前記ユーザ装置と送信アンテナとの距離またはスループットに基づいて信号を評価し、該評価に基づき空間符号テキストを選択し、該選択を表示するフィードバック・データを生成するよう構成した制御ユニット（４０１）と、前記フィードバック・データを第二の通信ノードに対して送信するよう構成した送信装置（４０５）と
を備えることを特徴とするユーザ装置（４０）。
【発明の詳細な説明】
【技術分野】
【０００１】
本発明は、通信ネットワークにおける方法と通信ノードに関し、具体的には、通信ネットワーク内の通信ノードに結合空間符号化データをシグナリングするためのものである。
【背景技術】
【０００２】
今日、帯域幅容量を増強する方法を提供するネットワーク／サービスがある。３ＧＰＰがリリース６で導入した、マルチメディア・ブロードキャストおよびマルチキャスト・サービス（ＭＢＭＳ）は、コア・ネットワークおよび、最も重要であるが、ＵＭＴＳ地上無線アクセス・ネットワーク（ＵＴＲＡＮ）のエア・インタフェースの両方において、共通無線チャネルを介してデータを送信することにより、ネットワーク／無線リソースを効率的に使用することを意図している。ＭＢＭＳは、共通チャネルを介して高い（可変の）ビット速度サービスを目標としている。ＭＢＭＳの最も重要な特徴の一つは、多数のユーザ装置（ＵＥ）間でのリソース共有であり、このことは、多くのユーザが同じ時間に同じＭＢＭＳチャネルをリッスンすることが可能であるはずだ、ということを意味する。また、ＭＢＭＳはＥ−ＵＴＲＡＮに導入され、そこではＭＢＭＳ送信は、単一セル送信およびマルチキャスト・ブロードキャスト単一周波数ネットワーク（ＭＢＳＦＮ）即ちマルチ・セル送信の形式で実行できる。ＭＢＳＦＮの場合、端末が多数の送信からエネルギを合成できるよう、セルと内容を同期化している。
【０００３】
多入力多出力（ＭＩＭＯ）は周知の高度なアンテナ技術である。ＭＩＭＯは、基地局およびＵＥの両方が多重アンテナを持つということを意味する。ＭＩＭＯは、スペクトル効率、ダイバーシティ、サービス圏、干渉軽減等を改善するために大いに貢献する可能性を持つ、様々な空間処理を提供する。Ｅ−ＵＴＲＡＮ  ＭＢＭＳでは、ＭＩＭＯの潜在的な候補は、開ループ送信ダイバーシティ方式、開ループ空間多重化方法または両方を複合した組合せのいずれかである。
【０００４】
空間ダイバーシティ送信技術は、ＭＢＭＳシステムで採用された。マクロ・ダイバーシティおよび種々の送信からの信号の合成のような各種の形式で、空間ダイバーシティ送信を考えてもよい。
【０００５】
ＭＢＳＦＮでは、データおよび制御情報またはそのいずれかを含む同じストリームを隣接セルから提供する場合、マクロ・ダイバーシティはセルラ・システムに本質的に存在する。しかしながら、この形式のダイバーシティを活用するためには、種々の送信からの信号を合成する機構が必要である。
【０００６】
最大比合成（ＭＲＣ）および選択合成（ＳＣ）に関する従来の提案は存在する。ＭＲＣ技術は最良の性能を提供するが、セル間の相対的送信遅延を厳しく制約するということが知られている。他方、選択合成は、性能損失を犠牲にして遅延制約を緩和する。空間時間ブロック符号化（ＳＴＢＣ）およびＭＩＭＯのような、ＭＢＭＳネットワークへの多重送信アンテナ技術の適用が導入されている。ＳＴＢＣは無線通信で使用する技術であり、多数のアンテナにわたってデータ・ストリームの複数のコピーを送信し、データの多様な受信バージョンを有効に使ってデータ伝送の信頼性を改善する。ＭＩＭＯは、送信帯域幅を更に増大させることなく容量とスループットを増強するために使用される。また、当然のことながら、空間符号化を使用するユニキャスト・サービスの使用もまた送信容量を増強することは理解されるはずである。
【０００７】
一つの一般的な仕組みには、例えばＳＴＢＣなどのような空間処理、または、時間切換ダイバーシティ符号化およびＭＩＭＯのような時間ダイバーシティ方式を含むことができる。これらの空間処理、および各種の空間処理の中の適応可能性のある空間処理は、本文書では空間符号化と称する。しかしながら、空間符号化技術は、アンテナ・セットアップと応用のシナリオに限定される。
【発明の概要】
【発明が解決しようとする課題】
【０００８】
通信ネットワークにおいて空間符号化の送信利得を提供することが、本実施形態の要求である。
【課題を解決するための手段】
【０００９】
実施形態は、通信ネットワークにおける結合空間符号化の符号テキストを分配するための制御器ノードにおける方法に関する。通信ネットワークには、各々が少なくとも１個の送信アンテナを備える少なくとも２個の通信ノードを備える。本方法には、結合空間符号化するよう、少なくとも第一の符号テキストと第二の符号テキストをもたらすシンボルを含む。次に、本方法には、送信アンテナのサービスエリアの位置に基づき、通信ネットワークの送信アンテナを、少なくとも第一の送信アンテナ・グループと第二のアンテナ・グループにグループ化するステップを含む。加えて、本方法には、第一の符号テキストを第一のアンテナ・グループに、そして第二の符号テキストを第二のアンテナ・グループに分配するステップを含む。
【００１０】
実施形態は、各々が少なくとも１個の送信アンテナを備えた、少なくとも２個の通信ノード備える通信ネットワークで、結合空間符号化の符号テキストをノードに分配するよう構成した制御器ノードを開示する。制御器ノードには、少なくとも第一の符号テキストと第二の符号テキストへシンボルを結合空間符号化するよう構成する制御ユニットを備える。更に、送信アンテナのサービスエリアの位置に基づき、通信ネットワークの送信アンテナを、少なくとも第一の送信アンテナ・グループと第二の送信アンテナ・グループにグループ化するよう制御ユニットを構成する。制御器ノードには、第一の符号テキストを第一の送信アンテナ・グループに、第二の符号テキストを第二の送信アンテナ・グループに分配するよう構成したネットワーク・インタフェースを更に備える。
【００１１】
実施形態は、通信ネットワーク内の第二の通信ノードにおける方法を開示する。本方法には、送信アンテナのサービスエリアの位置に基づき、制御器ノードから結合空間符号化の第一の符号テキストを受信するステップと、第二の通信ノードの第一の送信アンテナ内のユーザ装置に第一の符号テキストを分配するステップとを含む。
【００１２】
実施形態は、各々が少なくとも１個の送信アンテナを備えた、少なくとも２個の通信ノード備える通信ネットワーク内の結合空間符号化の動作設定をセットアップするよう構成した第二の通信ノードを開示する。第二の通信ノードには、送信アのサービス圏の位置に基づき、制御器ノードから結合空間符号化の第一の符号テキストを受信するよう構成したネットワーク・インタフェースを備える。第二の通信ネットワークには、第一の送信装置を通して第一の符号テキストを第一の送信装置のセル内のユーザ装置に分配するよう構成した制御ユニットを備える。
【００１３】
加えて、実施形態は、結合空間符号化の符号テキストを使用して動作設定を選択するため、各々が少なくとも１個の送信アンテナを備えた、少なくとも２個の通信ノードを備える通信ネットワーク内のユーザ装置における方法を開示する。本方法には、第二の通信ノードから第一の符号テキストを有する第一の信号と、第三の通信ノードから第二の符号テキストを有する第二の信号とを受信するステップを含む。更に、本方法には、信号を選択する評価に基づき、第一および第二の信号を評価するステップを含む。更に、本方法には、本選択を表示する第二の通信ノードにフィードバックを送信するステップを含む。
【００１４】
加えて、実施形態はユーザ装置を開示する。本ユーザ装置は、各々が少なくとも１個の送信アンテナを備えた、少なくとも２個の通信ノードを備える通信ネットワークで、結合空間符号化の符号テキストを使用して動作設定を選択するよう構成される。更に、本ユーザ装置には、第二の通信ノードから第一の符号テキストを有する第一の信号と、第三の通信ノードから第二の符号テキストを有する第二の信号とを受信するよう構成した受信装置を備える。また、本ユーザ装置には、本信号を評価し、本評価に基づいて、信号を選択し、本選択を表示するフィードバック・データを生成するよう構成した制御ユニットを備える。加えて、本ユーザ装置には、第二の通信ノードに本フィードバック・データを送信するよう構成した送信装置を備える。
【００１５】
実施形態は、通信ネットワークにおける空間符号化の送信利得を提供する方法を開示する。
【００１６】
以下に示す同封の図面と関連させて、実施形態について更にここで詳細に説明する。
【図面の簡単な説明】
【００１７】
【図１】通信ネットワークの図式的概観を示す。
【図２】基本的ＭＩＭＯ構造と関連の空間符号化を示す。
【図３】基地局における変調手順の図式的概観を示す。
【図４】通信ネットワークの図式的概観を示す。
【図５】各基地局に１個の送信アンテナのみがある通信ネットワークを示す。
【図６】不均等送信アンテナ構成シナリオにおける前置符号化を行う方法を示す。
【図７】ＵＥがいかにして符号テキストを選択するかの例を示す。
【図８】結合ＳＴＢＣ符号化の図式的概観を示す。
【図９】合成方法とシグナリング方式を示す。
【図１０】制御器ノードにおける方法の概略的フローチャートを示す。
【図１１】制御器ノードの図式的概観を示す。
【図１２】第二の通信ノードにおける方法の概略的フローチャートを示す。
【図１３】第二の通信ノードの図式的概観を示す。
【図１４】ユーザ装置における方法の概略的フローチャートを示す。
【図１５】ユーザ装置の図式的概観を示す。
【発明を実施するための形態】
【００１８】
本発明の実施形態を示す添付の図面を参照して、本発明についてここでもっと十分に説明する。しかしながら、本発明は、ここに記載する実施形態に限定されると解釈すべきでない。むしろ、この開示が徹底的で完全であり、当業者に本発明の範囲を十分に伝えるであろうということのために、これらの実施形態を提供する。同じ数字は一貫して同じ要素を示す。
【００１９】
本実施形態で使用するように、用語"備えている"または"備える"は変更可能であり、一つ以上の表明した特徴、整数、要素、ステップ、部品または機能を含むが、一つ以上のその他の特徴、整数、要素、ステップ、部品、機能またはそれらのグループの存在または追加を排除しない。
【００２０】
ブロック図および、方法と通信ノードの動作説明、またはそのいずれかを参照して、本発明による実施形態について説明する。その際、各々のブロックは、指定の論理機能を実装するための一つ以上の実行可能な命令を備える、モジュール、セグメントまたは符号部分を表わしてもよい。当然のことながら、ブロック図および動作説明またはそのいずれかの各ブロックと、ブロック図および動作説明またはそのいずれかにおけるブロックの組合せは、無線周波数、アナログまたはデジタル・ハードウエアまたはプログラム命令またはそれらの組み合わせによって実装できる。制御器およびプログラム可能なデータ処理装置またはそのいずれかを介して実行する命令が、ブロック図および一つまたは複数の動作ブロックまたはそのいずれかにおいて特定する機能／動作を実装する手段を生成するよう、一つ以上の汎用プロセッサ、専用プロセッサ、ＡＳＩＣ、またはその他のプログラム可能なデータ処理装置またはそれらの組み合わせを含む可能性のある制御ユニットに、これらのプログラム命令を提供してもよい。別のある実装では、ブロックで述べる機能／動作は、動作説明で述べる順序と異なって生起してもよい。例えば、連続で示す２個のブロックは、実際には事実上同時に実行されてもよく、または含まれる機能／動作に依存して、時には逆の順序でこれらブロックを実行してもよい。
【００２１】
メモリ・ユニットは、一個の単独のメモリ・デバイスまたは複数の別々のメモリ・デバイスであってもよい。
【００２２】
本明細書を通して、制御器ノードには、動作と保守ノード、ｅノードＢ、基地局制御装置（ＢＳＣ）、無線ネットワーク制御装置（ＲＮＣ）、モビリティ管理エンティティ（ＭＭＥ）または同様のものを備える。
【００２３】
基地局（ＢＳ）は、アクセス・ポイント（ＡＰ）、無線アクセス局（ＲＡＳ）、ノードＢ（Ｎｏｄｅ−Ｂ）、高度化ノードＢ（ｅＮＢ）、基地局（ＢＴＳ）、移動マルチホップ中継（ＭＭＲ）−ＢＳ１等を表わし、ＡＰ、ＲＡＳ、ノードＢ、ｅＮＢ、ＢＴＳおよびＭＭＲ−ＢＳの全体または一部の機能を含む。
【００２４】
当然のことであるが、制御器ノードと基地局とは、ｅノードＢのような合成したノードまたは同様のものであってもよい。
【００２５】
ユーザ装置（ＵＥ）は、端末、移動端末（ＭＴ）、加入者局（ＳＳ）、移動局（ＭＳ）、携帯加入者局（ＰＳＳ）、アクセス端末（ＡＴ）等を表わし、端末、移動端末、加入者局、携帯加入者局、移動局、アクセス端末の全体または一部の機能を含む。
【００２６】
図１に通信ネットワーク１の図式的概観を示す。複数の異なる構成の基地局が通信ネットワーク内に設置されている。３つの第一の基地局２０には２個の送信アンテナを備え、２つの第二の基地局３０には１個の送信アンテナを備える。通信ネットワークには、異なる基地局２０、３０を動作モードにセットアップするよう構成した制御器ノード１０を更に備える。
【００２７】
通信ネットワークは、ユニキャストサービス、ブロードキャストサービス、マルチキャストサービスを使用する通信ネットワークであってもよいことは理解されるはずである。以下の説明では、ＭＢＳＦＮの実施形態を示すが、しかしながら、本実施形態はその他のネットワークおよびその他のサービスに適用可能であってもよい。
【００２８】
不均等送信アンテナ構成は、異なるノードＢまたはセルサイトが、異なる数の送信アンテナおよび異なる空間的方法能力を持つ、ということを意味する。
【００２９】
ＭＢＳＦＮ送信のための不均等送信アンテナの場合では、一つの可能性は、各セルがそれ自身の送信モードを持つ、即ち、隣接セルは異なる送信モード持つ可能性がある、ということであろう。例えば、１Ｔｘのセルは空間符号化方法を全く採用しないが、２Ｔｘの隣接セルは２×２ＭＩＭＯを使用する。この形式の配備の主な制限は、フルランクのＭＩＭＯ前置符号化(precoding)モードが全体のＳＦＮ領域において可能ではない、ということである。もう一つの不利な点は、セル間干渉が、隣接セルにおける異なる送信モードのため、セル端のＵＥに対して大きくなる可能性があり、そして、異なるアンテナ構成をサポートするもう一つのセルに移動する時にＵＥがハンドオーバを実行するなら、ＵＥはそれ自身のＭＩＭＯモードを再選択（または変更）する必要がある、ということである。同じ空間符号化方法を全てのセルで使用するということに基づいてＵＥが信号を合成できる場合に最大の利得を達成するというＭＢＳＦＮネットワークでは、ＭＩＭＯモード切り替えは望ましくない。
【００３０】
もう一つの方法は、ＵＥでのマクロ・ダイバーシティ送信からの信号の組合せにより受信品質を強化することができる、同じ空間符号化信号を全ての送信アンテナが送るよう、マクロ・ダイバーシティを採用することである。しかしながら、その他のＭＩＭＯ前置符号化利用、例えば、ＰＡＲＣおよびＳＴＢＣモードにこれを拡張することは容易でないので、これは柔軟性に欠けている。
【００３１】
不均等送信アンテナ構成の可能性は、同じＭＢＳＦＮ送信が都市全体または州でさえカバーするであろうという事実から生じる。ＭＢＳＦＮとユニキャスト・サービスとを送信するため、同じ送信アンテナを使用する。それ故、通信事業者は、より密度の高いトラヒックを有する場所により多くの送信アンテナを、そして残りにはより少ないアンテナを配備することを好む可能性がある。従って、通常は、ＭＢＳＦＮ送信は何百ものセルを備える非常に大きなサービスエリアに及び、通信事業者は、トラヒック需要が成長するにつれ、将来、一定数のサイトを更新することを決定してもよい。それ故、もう一つの配置は、２個および４個の送信アンテナを有するサイト等から構成してもよい。
【００３２】
図１では、多数の送信アンテナを有する場所を備えるサービスエリアに配備したマルチ−セルラ・マルチキャスト／ブロードキャスト・システムで、空間アンテナ前置符号化を適用するよう、制御器ノード１０を構成する。
【００３３】
制御器１０は、ＭＢＳＦＮ領域１で、全ての送信アンテナを異なる送信アンテナ・グループに分割する。選択した空間チャネル符号化方式、例えば、ＳＴＢＣなどは、全体のＭＢＳＦＮ領域の全ての送信アンテナ・グループに適用する。分配機能により、空間符号化の出力である"符号テキスト"を全ての送信アンテナ・グループに分配する。一つの空間符号テキストを１個の送信アンテナ・グループに適用し、もう一つの空間符号テキストをもう１個の送信アンテナ・グループに適用する、などである。
【００３４】
ある実施形態では、ＵＥは、送信アンテナ・グループから所望する符号テキスト／送信アンテナを選択してもよい。
【００３５】
更なる強化は、一つの領域内において選択した送信アンテナを、異なる隣接ＭＢＳＦＮ領域のＵＥが再使用できるので、異なる隣接ＭＢＳＦＮ領域で同じ符号テキストを再使用できる、ということである。
【００３６】
図２に、ＭＢＳＦＮにダイバーシティまたは空間多重化利得を提供する、基本ＭＩＭＯ構造および関連する空間符号化を示す。結合空間符号化５２には前置符号化処理を含み、これは、３ＧＰＰ  ＴＳ  ３６．２１１における前置符号化構造に類似であり、即ち、入力としてレイア・マッピングからベクトルＸ−Ｘu-1から成るブロックをとり、ベクトルのブロックを生成して、無線リソース、例えば、Ｅ−ＵＴＲＡＮまたは同様のものにおけるリソース要素にマッピングする。しかし、不均等送信アンテナ構成では、前置符号器からの出力符号テキストＣＴ１、ＣＴ２−ＣＴＭは、下記に説明するように、送信アンテナ・グループＡＧ１−ＡＧＭに結合して分配されるであろう（４４）。ＵＥは最良の送信アンテナを選択してネットワークにフィードバックし、次にネットワークはＭＢＳＦＮ領域内で送信アンテナ・グループを再グループ化してもよい。
【００３７】
図３に、基地局における変調手順の図式的概観を示す。変調シンボルは変調マッパ６１、６２で生成される。レイア・マッパ６３で本変調シンボルを一つまたは幾つかの送信レイアにマッピングする。次に、前置符号器６４の制御器から受信した符号テキストに応じて、送信アンテナ・ポートでの送信のために、各レイアの複素数変調シンボルの前置符号化をおこなう。最後に、リソース要素マッパ６５、６６でリソース要素へのシンボルのマッピングを実行し、ＯＦＤＭ信号生成期６７、６８で、各送信アンテナ・ポートのために時間領域ＯＦＤＭ信号の生成を実行する。ここで空間前置符号器モジュールは、レイア・マッピングからベクトルのブロックを入力として取り込み、送信アンテナ・グループの送信アンテナ・ポートの各々のリソースにマッピングするよう、ベクトルのブロックを生成する。
【００３８】
もし全体のＭＢＳＦＮ領域の全てのセルの場所が同じ送信アンテナ構成、即ち、ＭＢＳＦＮ領域内の各セルのサイトで同じ数の送信アンテナを持つなら、前置符号化解決策は容易に採用できる可能性がある。例えば、ＭＢＳＦＮ領域の全ての場所で空間時間ブロック符号化（ＳＴＢＣ）を採用する。
【００３９】
本実施形態は、ＭＢＳＦＮネットワークの不均等送信アンテナ構成シナリオにＭＩＭＯ前置符号化を拡張する場合を開示する。ＭＢＳＦＮ領域の不均等送信アンテナ構成、即ち、全てのセルの場所が同じ数の送信アンテナおよび空間符号化能力を持っていない場合を考える。ＭＩＭＯ前置符号化は、図４に示すように、前置符号化および符号テキスト分配機能で解決される可能性がある。その結果、あるセルが不均等送信アンテナを持つ場合でも、送信アンテナは、同じ空間技術を使用して全体のＭＢＳＦＮ領域にサービス可能である。
【００４０】
図４に、異なる送信アンテナ構成の基地局を有する通信ネットワーク１の図式的概観を示す。シンボルを第一の符号テキストＸおよび第二の符号テキストＸ*に前置符号化するよう構成した制御器ノード１０を開示する。送信アンテナのサービス圏の位置に基づき、通信ネットワーク内の基地局の送信アンテナ２１、２２、３１をグループ化するよう、制御器ノード１０を更に構成する。示した例では、制御器ノード１０は、送信アンテナ２１，３１を第一のグループにグループ化し、符号テキストＸを送信アンテナ２１，３１に分配する。更に、制御器ノード１０は、送信アンテナ２２と３１'を第二のグループにグループ化し、符号テキストＸ*を送信アンテナの第二のグループに分配する。ここで注目すべきは、第一および第二の符号テキストＸ、Ｘ*を交互の送信アンテナに分配する、ということである。
【００４１】
図５は、各場所に１個のみの送信アンテナがある、特別な場合を示す。送信アンテナのサービス圏の位置に基づき、Ｘで示す実数の信号を備える符号テキストと、Ｘ*で示す符号テキストの複素共役とを交互の方法で送信アンテナ３１−３６に分配することにより、ネットワーク制御器ノード１０はマクロ−ダイバーシティを使用する。この方法で、ネットワーク内のＵＥは最適な方法で両方のチャネルからデータを受信するであろうし、例えば、全ての基地局には単一の送信アンテナを備えるようなＭＢＳＦＮ領域で、空間時間ブロック符号化を実装できる。
【００４２】
図６は、不均等送信アンテナ構成シナリオにおける前置符号化を行うもう一つの方法を示す。送信アンテナのサービス圏の位置に基づき、送信アンテナ２１−２６を第一および第二のグループにグループ化するよう、ネットワークの制御器ノード１０を構成する。実際、ある場所は１個以上の送信アンテナを含んでいるけれども、各場所で送信アンテナの１個のみを介して、各グループの前置符号化した符号テキストを送信する。図５で使用したと同じ方法で、空間時間ブロック符号化のような適当な前置符号化方式を使用できる。このことは、交互の送信アンテナを介して信号Ｘとその複素共役Ｘ*を送信する、即ち、第一のグループの送信アンテナ２１、３１、３２を介してＸを、第二のグループの送信アンテナ２４、２５を介してＸ*を送信することを意味する。
【００４３】
ＭＢＳＦＮ領域の一つの部分に、１個の送信アンテナを有する連続的場所の大きな集合がある実施形態において、同じＭＢＳＦＮ領域のもう一つの部分には、多重送信アンテナまたは多数および単一の送信アンテナの組合せを有する場所を含む。そのようなシナリオでは、全体のＭＢＳＦＮ領域で単一の送信アンテナを使用することは実行可能ではない可能性がある。むしろ、全てまたは殆んどの場所が単一の送信アンテナを含むＭＢＳＦＮ領域の一つの部分で、前置符号化した符号テキストを送信するために１個の送信アンテナのみを使用できる。他方、より多くの場所が多重送信アンテナを持つＭＢＳＦＮ領域のその他の部分には、図４で示したものと類似の方式を採用できる可能性がある。
【００４４】
単一送信アンテナ及び不均等送信アンテナ構成を備えるＭＢＳＦＮ配置で、例えばＳＴＢＣおよび２×２ＰＡＲＣ、アンテナ別速度制御のような幾つかの空間符号化方式または同等のものを使用してもよい。以前のセッションはもっと一般的な概観を与えた。本明細書の実施形態は、そのようなＭＢＳＦＮネットワークを形成するため、ある空間符号化方式をいかに使用してもよいかを説明する。
【００４５】
図７は、セル−１とセル−２とがそれぞれＸとＸ*とを既に選択したと仮定して、ＵＥ４０が第一の符号テキストＸまたは第二の符号テキストＸ*をいかに選択するかについての例を示す。従って、選択した基準は、セル３における符号テキストＸまたはＸ*の最良の配分の懸命な検索であり、即ち、
【００４６】
【数１】
0005374587.tif 000002
【００４７】
である。ここで、Ｈ−は、ＵＥと関連する分配した送信アンテナとの間の距離であり、例えば、Ｈ1、Ｈ2およびＨ3は、図７におけるＵＥと分配した送信アンテナ３１、３２および３３との間の距離を表わす。
【００４８】
図８は、不均等送信アンテナ構成におけるＭＢＳＦＮ送信のための結合ＳＴＢＣ符号化を示す。ＳＴＢＣ前置符号化でもって、シンボル［ｂ0、ｂ1、ｂ2、ｂ3］は、ＭＢＭＳ領域内でサービスされた異なる送信アンテナ・グループにマッピングされるであろう符号テキスト１、ＣＴ１と符号テキスト２、ＣＴ２とに符号化される。次に、例のように、この不均等送信アンテナ構成を有するＭＢＳＦＮ領域のための結合ＳＴＢＣ符号化は以下のとおりである。
【００４９】
ＳＴＢＣ符号テキスト１［ｂ0、ｂ1、ｂ2、ｂ3］を送信アンテナ・グループ＃１に分配、
ＳＴＢＣ符号テキスト２［▲ｂ^▼2、ｂ3、ｂ0、▲ｂ^▼1］を送信アンテナ・グループ＃２に分配。
【００５０】
図９に、ＭＢＳＦＮにおける合成方法とシグナリング方式との例を示す。
【００５１】
選択的には、第一の基地局２０および第二の基地局３０は、メッセージＬＯＣ２０、ＬＯＣ３０における送信アンテナのサービスエリアの位置の、例えばＱＡＭ、ＢＳＣ、ＭＭＥのような制御器ノードまたは同様のものに通知する。また、異なる基地局の送信アンテナ構成を示すデータを本メッセージに含めてもよい。本データは、送信アンテナ数、既知の単なる基地局位置と送信アンテナのサービス圏、サービス圏の方向やそれと同様のものに関連している可能性があり、ユーザ装置が全ての符号テキストを受信するよう最適な方法で送信アンテナをグループ化するため、制御器がデータから各送信アンテナのサービス圏を決定する、そのデータである。
【００５２】
ステップＳ１１で、制御器ノード１０はシンボルの結合空間符号化を実行し、第一の符号テキストおよび第二の符号テキストをもたらす。符号化はＰＡＲＣ、ＳＴＢＣまたは同様のものであってもよい。
【００５３】
ステップＳ１２で、制御器ノード１０はＭＢＳＦＮの送信アンテナをグループ化する。上記で述べたように、ＭＢＳＦＮ領域には不均等な数の送信アンテナを有する基地局を備えてもよい。送信アンテナ・グループを生成できる二つの方法がある。一つはネットワークにより自立的に実行され、他はその上、ＵＥフィードバックに依存する。両方の場合で、制御器ノード１０が送信アンテナ・グループ選択の究極の決定を行うであろう。
【００５４】
注意すべきであるが、論理的制御器ノード１０は集中型ノードであるが、物理的には単独のノードであってもよく、または基地局の一つ、ノード２０または３０に位置していてもよい。もしＵＥフィードバックが利用できないなら、異なる基地局送信アンテナ構成と能力を知っている可能性がある制御器ノード１０は、空間符号化のため、送信アンテナ・グループをセットアップすることをそれ自身で決定する。
【００５５】
例えば、制御器ノード１０は、例えば第一および第二の符号テキストを交互の基地局のサイトまたは同様のものにある送信アンテナに分配するように、ある事前に決定した規則に基づき、送信アンテナ・グループをセットアップしてもよい。
【００５６】
両方の場合で、符号テキスト分配のために送信アンテナ・グループを構築するため、制御器ノード１０は基地局を構成する。
【００５７】
次に、制御器ノード１０は符号テキストを分配する。例えば、基地局２０には送信アンテナ＃１と＃２（即ち、２Ｔｘ）を備え、基地局３０には異なる場所の送信アンテナ＃３（即ち、１Ｔｘ）を備える。この例では、二つの送信アンテナ・グループ：グループ＃１（送信アンテナ＃１と＃３）およびグループ＃２（送信アンテナ＃２）が生成される可能性があり、制御器ノード１０は第一の符号テキストＣＴ１をグループ＃１に、第二の符号テキストＣＴ２をグループ＃２に分配する。
【００５８】
第一の基地局２０は第一の符号テキストＣＴ１と第二の符号テキストＣＴ２を受信し、第二の基地局３０は第一の符号テキストＣＴ１を受信する。
【００５９】
ステップＳ２１で、第一の基地局２０は、第一の送信アンテナ＃１のために第一の符号テキストＣＴ１を、そして第二の送信アンテナ＃２のために第二の符号テキストＣＴ２を使用するよう構成した動作状態にそれ自身をセットアップする。
【００６０】
次に、これらの設定ＣＴ１とＣＴ２をＭＢＳＦＮ内のユーザ装置４０に分配する。
【００６１】
ステップＳ３１で、第二の基地局３０は、送信アンテナ＃３のために第一の符号テキストＣＴ１を使用するよう構成した動作状態にそれ自身をセットアップする。
【００６２】
次に、このＣＴ１の設定をユーザ装置４０に分配する。
【００６３】
ステップＳ４１で、ＵＥ４０は選択を実行する。ＵＥ４０は、その最良の送信アンテナ・グループと、制御器ノード１０へのフィードバック・データＦＢ１、ＦＢ２とを選択しＭＢＳＦＮ領域内の送信アンテナ・グループを再グループ化する。ある実施形態では、幾つかのＵＥは基地局２０、３０にフィードバックを提供するであろうが、フィードバック情報は、ＵＥの望ましい前置符号化重みベクトル、その関連のコードブック・インデックスまたは同様のものであってもよい。次に、フィードバック・データＦＢ１、ＦＢ２を制御器ノード１０に転送する。異なる基準により望ましい前置符号化重みベクトルを獲得してもよい、例えば、最良のスループット性能を実現するための懸命な探索を通して、望ましい前置符号化ベクトルを獲得してもよい。この基準の使用は単なる例であり、異なるＵＥに望ましい前置符号化ベクトルを獲得するための、可能性のあるその他の方法を排除するものではない。
【００６４】
各ＵＥは、それ自身のチャネル状態情報を推定し、その送信に最適な一つのサブバンドを選択し、次に、そのサブバンドを介して、受信信号対雑音比（ＳＮＲ）の最大化により、コードブックの集合における最良の前置符号化ベクトルを決定し、チャネル品質指標（ＣＱＩ）値を計算する。この手順の後、ＵＥは、選択した個別のサブバンド・インデックス、対応する前置符号器インデックス、およびＣＱＩ値、またはそれらのいずれかあるいは同様のものを基地局２０、３０にフィードバックする。
【００６５】
選択的ステップＳ１３で、フィードバックＦＢ１，ＦＢ２の基づき、制御器ノード１０は送信アンテナを再グループ化する。統計値に基づき、制御器ノード１０は送信アンテナ・グループを再グループ化し、送信アンテナ・グループに符号テキストＣＴ１、ＣＴ２を分配する。例では、第二の基地局の送信アンテナをＣＴ２に変更する。
【００６６】
不均等送信アンテナ構成におけるＭＢＳＦＮ送信のための２×２ＰＡＲＣに対する結合符号化では、以下のことが発生する。ＰＡＲＣでは、チャネル品質情報に基づいて、例えば、受信器が送信器に送るフィードバックに基づいて、各送信アンテナから送信したストリームの符号化速度と変調とを制御する。ユニタリ２×２ＰＡＲＣ行列は、
【００６７】
【数２】
0005374587.tif 000003
【００６８】
であり、ここで、列重みベクトルｊ、ｊ∈｛１，２｝は、ランクｊ、ｊ∈｛１，２｝のためであり、各ベクトルの要素は送信アンテナ・ポートに関連する、即ち、２×２ＰＡＲＣで、二つのストリームを独立に二つの送信アンテナ・ポートから送信する。
【００６９】
次に、送信アンテナ・グループをセットアップし、ＵＥはそれらの最良の送信アンテナ・グループを選択してもよい。このことは、幾つかのＵＥが、基地局にフィードバックを提供するであろう、フィードバック情報は、ＵＥの好ましい前置符号化重みベクトルまたはその（それらの）関連のコードブック・インデックスであってもよい、そして、基地局はそれらの順番でこれを制御器ノードまたは基地局の制御器部分に転送する、ということを意味する。
【００７０】
典型的には、第一の場所＃Ａには送信アンテナ＃１と＃２を備え、第二の場所＃Ｂには送信アンテナ＃３を備える。次に例として、
ＰＡＲＣ符号テキスト＃１（１／√２）を送信アンテナ・グループ＃１（送信アンテナ１と３）に分配する。
【００７１】
ＰＡＲＣ符号テキスト＃２（１／√２）を送信アンテナ・グループ＃２（送信アンテナ２）に分配する。
【００７２】
異なる物理送信アンテナを介して異なるストリームを送信するため、上記の例におけるＰＡＲＣを使用する。前置符号化なしに送信アンテナを介して異なるストリームを送信する特別な前置符号化方式として、ＰＡＲＣを実際に扱うことができる。
【００７３】
上記で説明した例では、ネットワークが異なる基地局の場所で空間符号化を適合させるまたは再構成する手段を提供するということを示した。ＵＥフィードバックに基づくか、またはもし基地局を更新する場合か、またはもし新規の基地局を追加するか除去する場合かのいずれかで、少なくとも半静的方法で再構成を行わなければならない可能性がある。従って、基地局のサイト間で、または基地局とネットワーク・ノード、例えばＭＢＳＦＮ無線ノードとの間で、またはその両方でシグナリング・サポートがあるべきであり、そこで符号テキストを生成し、ＭＢＳＦＮ領域の基地局に分配する。
【００７４】
本方法は、Ｅ−ＵＴＲＡＮのＭＳＢＦＮ、ＷＣＤＭＡのＭＳＢＦＮ、第四世代移動通信システム（ＩＭＴ−ａｄｖａｎｃｅｄ）のための分散送信アンテナシステム（ＤＡＳ）に基づくＭＳＢＦＮ、ＤＶＢ−Ｈ等のような任意のユニキャスト／マルチキャスト／ブロードキャスト・ネットワークのいずれかに適用可能である。
【００７５】
第二に、また、送信アンテナ・グループへの結合符号化と分配の概念は、重複するＭＢＳＦＮに適用してもよい。
【００７６】
また、送信アンテナ・グループへの結合符号化と分配の概念はユニキャスト・サービス（ユーザ固有のサービス）に使用してもよく、即ち、Ｅ−ＵＴＲＡＮまたはＷＣＤＭＡの異なる基地局の場所に属する送信アンテナに結合符号化を適用する。このことは、異なる基地局に位置する送信アンテナを介してユーザ固有の符号テキストを分配することを意味し、それ故、多重送信アンテナからユニキャスト・データを受信するであろう。また、この方法で、また不均等アンテナ・シナリオにおいて、例えば、全てまたはある基地局に一個の送信アンテナのみを装備する場合、ユニキャスト・サービスに空間符号化を使用することができる。ＭＢＳＦＮに比較すると、異なる基地局の場所に位置する送信アンテナで空間符号化するユニキャスト・サービスの受信はより複雑である。その理由は、前者の場合、ＵＥは全ての場所からの同じ物理リソース（例えば、リソース・ブロック等）を使用して送ったままでデータを透過的に受信する。ユニキャスト受信の場合、異なる場所の異なる送信アンテナからの送信は、通常は、異なる物理リソースを介して受け取らなければならない。それ故に、ＵＥは異なる場所から受信したデータを分離して復号化し、合成しなければならない。
【００７７】
実施形態は、送信アンテナを完全に採用してダイバーシティまたは空間多重化を提供する基本的ＭＩＭＯに関するが、送信アンテナは同じセルに属してもよいし、属さなくともよい。この構成は、異なる送信アンテナ・セットアップ・シナリオにおいて、例えば、全てのセルが同じ送信アンテナ等を持たない場合、可能であり得る。
【００７８】
全体のＭＢＳＦＮ、例えば、ＭＩＭＯとＳＴＢＣにおける同じ空間送信モードを採用することにより、送信アンテナ構成がＭＢＳＦＮ領域の異なるサイトで異なっている場合でも、複数の利点が得られる。例えば、完全なＭＩＭＯ能力を利用できる可能性があるため干渉を低減化できること、送信アンテナ再使用と空間符号化を部分的な共有とによりサービス圏が拡大すること、また、ＭＢＳＦＮ領域内においてＵＥが異なる送信アンテナ構成を有するセル間で移動する場合、空間モード切替を行う必要性を回避すること、送信アンテナ装備の部分的な更新がある（例えば、１−２送信アンテナから２−４送信アンテナに増加する）場合でも、ＭＢＳＦＮ領域全体においてＭＩＭＯ方式を容易に強化できること、単一送信アンテナの基地局を有するＭＢＳＦＮネットワークで、空間時間ブロック符号化をなお使用できること、などである。
【００７９】
図１０に、各々が少なくとも１個の送信アンテナを備えた少なくとも２個の通信ノードを備える通信ネットワーク内の制御器ノード１０のおける概略的フローチャートを示す。通信ネットワークは、ＭＢＳＦＮや、ユニキャスト・サービスを提供するネットワークまたは同様のものであってもよい。ある実施形態では、通信ネットワークの少なくとも２個の通信ノードには不均等な数、例えば、１個、２個または４個の送信アンテナを備える。
【００８０】
選択的ステップＴ１で、制御器ノードは通信ネットワーク内の基地局からデータを受信する。本データは、通信ネットワーク内の送信アンテナのサービスエリアの位置を表示する。本表示は、基地局の位置と送信アンテナの形式、基地局の送信アンテナの数のような送信アンテナ構成、送信アンテナのサービス圏の方向またはそれらのいずれかまたはそれらと同様のものであってもよい。また、ある実施形態では、このまたはある情報は制御器ノードに存在する可能性がある。
【００８１】
ステップＴ２で、少なくとも第一および第二の符号テキストに、シンボルの結合空間符号化を実行する。当然のことながら、結合空間符号化は２個以上の符号テキスト、例えば４個の符号テキストまたは同様のものをもたらす。
【００８２】
ステップＴ４で、送信アンテナのサービスエリアの位置に基づき、通信ネットワークの送信アンテナを少なくとも第一の送信アンテナ・グループと第二の送信アンテナ・グループにグループ化する。
【００８３】
ある実施形態では、通信ネットワーク内のユーザ装置が両方の符号テキストを受信する方法で符号テキストをユーザ装置に分配するように異なる符号テキストの分配を構成できるよう、グループ化は送信アンテナのサービス圏の位置に基づいている。例えば、最適な分配を獲得するため、重複させる方法でサービス圏位置を構成する。ある実施形態では、最適な分配を得るため、交互にサイトを交代させながらサイトの送信アンテナに第一の符号テキストと第二の符号テキストを分配するよう、グループ化する。当然のことながら、最適な分配を獲得する他の方法も可能である。そしてまた、ある実施形態では、制御器ノード内に格納したノードの所定の能力に基づいてもよい。この所定の能力は、設置の前にプログラムされ、制御器ノードまたはそれと同様のものに送られる可能性がある。
【００８４】
ある実施形態では、通信ネットワークの全てのノードのサービスエリアの位置は、ノードの初期のセットアップの間に検索され、新規のノードを追加した場合は周期的に更新される。サービスエリアの位置は、基地局／送信アンテナの位置、送信アンテナ・サービス圏方向、送信アンテナ範囲またはそのいずれかまたはそれらと同様のものに基づいていてもよい。
【００８５】
ステップＴ６で、制御器ノードは第一の符号テキストを第一の送信アンテナ・グループに、第二の符号テキストを第二の送信アンテナ・グループに分配する。
【００８６】
選択的ステップＴ８で、制御器ノードはユーザ装置から、選択した送信アンテナ・グループを表示するフィードバックを受信する。
【００８７】
選択的ステップＴ１０で、ユーザ装置からのフィードバックに基づき、制御器ノードは送信アンテナを再グループ化する。ある実施形態では、本再グループ化は複数のユーザ装置からのフィードバックの統計値に基づく。
【００８８】
本方法を実行するため、制御器ノードが提供される。
【００８９】
図１１に、制御器ノード１０の図式的概観を示す。制御器ノードには、動作および保守ノード、ｅＮｏｄｅＢ、基地局制御装置（ＢＳＣ），無線ネットワーク制御装置（ＲＮＣ）、モビリティ管理エンティティまたは同様のものを備えてもよい。また、本制御器ノードには、ｅノードＢのような制御器と合成した基地局または同様のものを備えてもよい。
【００９０】
各々が少なくとも１個の送信アンテナを備えた少なくとも２個の通信ノードを備える通信ネットワークで、結合空間符号化の符号テキストをノードに分配するよう、制御器ノード１０を構成する。ある実施形態では、通信ネットワークの少なくとも２個の通信ノードには、不均等な数の送信アンテナ、例えば、あるものは１個の送信アンテナ、あるものは２個または４個の送信アンテナを備える。
【００９１】
制御器ノード１０には、シンボルを少なくとも第一の符号テキストと第二の符号テキストとに結合空間符号化するよう、そして、送信アンテナのサービスエリアの位置に基づき、通信ネットワークの送信アンテナを少なくとも第一の送信アンテナ・グループと第二の送信アンテナ・グループにグループ化するよう構成した制御ユニット１０１を備える。
【００９２】
ある実施形態では、送信アンテナのサービスエリアの位置に基づき送信アンテナをグループ化するよう制御ユニット１０１を構成し、その結果、通信ネットワーク内のユーザ装置が両方の符号テキストを受信するような方法で、異なる符号テキストの分配を構成する。例えば、最適な分配を獲得するため重複させる方法でサービス圏位置を構成するよう、異なるグループをグループ化する。ある実施形態では、最適な分配を獲得するため、第一の符号テキストと第二の符号テキストを、交互にサイトを交代させながらサイトの送信アンテナに分配するように、送信アンテナをグループ化するよう制御ユニット１０１を構成する。当然のことであるが、最適な分配を獲得する他の方法もまた存在する。
【００９３】
また、制御器ノード１０内のメモリ１０７に格納したノードの所定の能力にも基づいて送信アンテナをグループ化するよう制御ユニット１０１を構成してもよい。本方法のステップを実行するため制御ユニット１０１で遂行するよう構成した、符号テキストまたはアプリケーションまたはその両方を格納するように、メモリ・ユニット１０７を構成してもよい。所定の能力は設置の前にプログラムされて、制御器ノードやそれと同様のものに送ってもよい。
【００９４】
制御器ノード１０には、第一の符号テキストを第一の送信アンテナ・グループに、そして第二の符号テキストを第二の送信アンテナ・グループに分配するよう構成したネットワーク・インタフェース１０９を更に備える。
【００９５】
ある実施形態では、ユーザ装置からフィードバックを受信するよう、ネットワーク・インタフェース１０９を更に構成してもよく、本フィードバックには、選択した送信アンテナ・グループのデータを備え、次に、通信ネットワークの送信アンテナを再グループ化するため本フィードバックを使用するよう、制御ユニット１０１を構成する。更に、複数のユーザ装置からのフィードバックの統計値に基づき、通信ネットワークの送信アンテナを再グループ化するよう、制御ユニット１０１を構成してもよい。
【００９６】
ある実施形態では、制御器ノードの初期セットアップの間に、または周期的な更新の間に、または通信ネットワークに新規のノードを追加する場合に、またはそれらを組み合わせた場合に通信ネットワークの送信アンテナのサービス圏の位置を検索するよう、制御器ノード１０を構成してもよい。
【００９７】
通信ネットワークには、マルチメディア・ブロードキャスト単一周波数ネットワーク、ユニキャスト・サービスを提供するネットワークまたはそれらと同様のものを備えてもよい。結合空間符号化には、空間時間ブロック符号化、アンテナ別速度制御またはそれらと同様のものを備える。
【００９８】
図１２に、各々が少なくとも１個の送信アンテナを備えた少なくとも２個の通信ノードを備える通信ネットワーク内の、第二の通信ノードにおける方法の概略的フローチャートを開示する。
【００９９】
ステップＶ２で、第二の通信ノードは、第二の通信ノードの送信アンテナのサービスエリアの位置に基づき、制御器ノードから結合空間符号化の第一の符号テキストを受信する。もし第二の通信ノードが制御器ノードの一部であれば、合成ノードの内部から第一の符号を受信し、もしノードが分離されているなら、ネットワークを介して第一の符号テキストを受信する。
【０１００】
選択的ステップＶ４で、第二の通信ノードは動作状態にある第二の通信ノードをセットアップし、第一の送信アンテナのセル内の第一の送信アンテナから、無線チャネルにデータを送信するのに第一の符号テキストを適用させ、そしてデータを送信する。
【０１０１】
ステップＶ６で、第二の通信ノードは、第一の送信アンテナのセル内の無線チャネルを介して、第一の符号テキストをユーザ装置に分配する。
【０１０２】
選択的ステップＶ８で、第二の通信ノードは、第一の符号テキストに関してユーザ装置からフィードバックを受信するが、本フィードバックは第一の符号テキストの選択を表示するものである。
【０１０３】
選択的ステップＶ１０で、第二の通信ノードは通信ネットワークの制御器ノードに本フィードバックを転送する。
【０１０４】
本方法を実行するため、第二の通信ノードが提供される。
【０１０５】
図１３に、第二の通信ノード２０の図式的概観を示す。第二の通信ノードには、基地局（ＢＳ）、アクセス・ポイント（ＡＰ）、無線アクセス局（ＲＡＳ）、ノードＢ（Ｎｏｄｅ−Ｂ）、高度化Ｎｏｄｅ−Ｂ（ｅＮＢ）、基地局（ＢＴＳ）、モバイル・マルチホップ中継（ＭＭＲ）−ＢＳ１またはそれらの組み合わせやそれらと同様のものを備えてもよく、ＡＰ、ＲＡＳ、ノードＢ、ｅＮＢ、ＢＴＳおよびＭＭＲ−ＢＳの全てまたは一部の機能を含む。当然のことであるが、第二の通信ノードは、ｅＮｏｄｅ−Ｂのような制御器ノードの合成ノードまたは同様のものであってもよい。
【０１０６】
それぞれが少なくとも１個の送信アンテナを備えた少なくとも２個の制御器ノードを備える通信ネットワークにおいて、結合空間符号化の符号テキストをノードに分配するよう、第二の通信ノード１０を構成する。
【０１０７】
第二の通信ノードには、第二の通信ノードの第一の送信装置２１０のサービス圏の位置に基づき、制御器ノードから第一の符号テキストを受信するよう構成したネットワーク・インタフェース２０９を備える。更に、第二の通信ノードには、第一の送信装置２１０のセル内のユーザ装置に、第一の送信装置２１０を通して第一の符号テキストを分配するよう構成した制御ユニット２０１を備える。本送信装置２１０には送信アンテナを備える。また当然のことであるが、第二の通信ノードには、第二の送信装置２２０、および第三、第四等の送信装置またはそのいずれかを備えてもよい。
【０１０８】
ある実施形態では、第一の送信装置２１０のセル内の第一の送信装置２１０から無線チャネルにデータを送信するのに第一の符号テキストを適用させるよう、そして第一の送信装置２１０を介して本データを送信するよう、制御ユニット２０１を更に構成してもよい。図示の例では、第一の符号テキストは、例えば０度の第一の位相シフトΦ１を表示してもよく、第二の通信ノード２０には、第二の送信装置２２０を介して、例えば９０度の第二の位相シフトΦ２を表示して、第二の符号テキストを使用する第二の送信装置を備えてもよい。位相シフト（Φ１）と（Φ２）は、実際には、制御ユニット２０１が適用する重み係数である。閉ループＭＩＭＯ方式では、各アンテナに対してＵＥが重みを決定し、ネットワークにシグナリングし、ネットワークは順に対応するアンテナで適用する。しかしながら、開ループＭＩＭＯ方式では、ネットワーク自身が異なる送信アンテナで適当な重み係数を選択する。
【０１０９】
ある実施形態では、ユーザ装置から第一の符号テキストに関するフィードバックを受信するよう構成した受信装置２１１を更に備える。本フィードバックは第一の符号テキストの選択を表示し、ネットワーク・インタフェース２０９を介してネットワークの制御器ノードに本フィードバックを転送するよう、制御ユニット２０１を構成する。ここで注意すべきであるが、送信／受信装置は分離したユニットであってもよく、または、図示のように、同じアンテナを備えてもよい。
【０１１０】
第二の通信ノード２０には、符号テキストを格納する可能性のあるメモリ・ユニット２０７および本方法のステップを実行するため、制御ユニットで遂行するよう構成したアプリケーションまたはそのいずれかを更に備えてもよい。
【０１１１】
図１４に、ユーザ装置における方法の図式的概観を示す。ユーザ装置は、各々が少なくとも１個の送信アンテナを備えた少なくとも２個の通信ノードを備える通信ネットワーク内にあり、本方法は、結合空間符号化の符号テキストを使用して動作セットアップを選択するためのものである。
【０１１２】
ステップＲ２で、ユーザ装置は第二の通信ノードから第一の符号テキストを有する第一の信号を受信する。第一の符号テキストは、無線チャネルを介して、ユニキャスト、マルチキャストまたはブロードキャストのいずれかとして送信される。
【０１１３】
ステップＲ４で、ユーザ装置は、第三の通信ノードから第二の符号テキストを有する第二の信号を受信する。第二の符号テキストは、無線チャネルを介して、ユニキャスト、マルチキャストまたはブロードキャストのいずれかとして送信される。
【０１１４】
ステップＲ６で、ユーザ装置は第一および第二の信号を評価する。
【０１１５】
ステップＲ８で、本評価に基づき、ユーザ装置は符号テキストを選択する。ある実施形態では、本選択は、ＵＥの好ましい前置符号化重みベクトル、その関連のコードブック・インデックスまたは同様のものを選択することであってもよい。好ましい前置符号化重みベクトルは、異なる基準により獲得されてもよく、例えば、好ましい前置符号化重みベクトルは、最良のスループット性能を実現するため、懸命な探索を通して獲得されてもよい。
【０１１６】
ステップＲ１０で、ユーザ装置は選択を表示するフィードバックを第二の通信ノードに送信する。次に、第二の通信ノードが制御器から分離している場合、第二の通信ノードは制御器ノードに本フィードバックを転送する。
【０１１７】
本方法を実行するため、ユーザ装置が提供される。
【０１１８】
図１５に、ユーザ装置を示す。ユーザ装置は端末、移動端末（ＭＴ）、加入者局（ＳＳ）、移動局（ＭＳ）、携帯加入者局（ＰＳＳ）、アクセス端末（ＡＴ）および／または同様のものを表わし、端末、移動端末、加入者局、携帯加入者局、移動局、アクセス端末の全体または一部の機能を含む。
【０１１９】
各々が少なくとも１個の送信アンテナを備えた少なくとも２個の通信ノード備える通信ネットワークにおいて、結合空間符号化の符号テキストを使用して動作セットアップを選択するよう、ユーザ装置４０を構成する。
【０１２０】
ユーザ装置４０には、第二の通信ノードから第一の符号テキストを有する第一の信号と、第三の通信ノードから第二の符号テキストを有する第二の信号とを受信するよう構成した受信装置４０３を備える。第二と第三の通信ノードには、例えば、基地局を備える。ユーザ装置には、本信号を評価し、本評価に基づいて符号テキストを選択し、そして本選択を表示するフィードバック・データを生成するよう構成した制御ユニット４０１を更に備える。ユーザ装置には、追加して、第二の通信ノードに本フィードバック・データを送信するよう構成した送信装置４０５を備える。
【０１２１】
当然のことであるが、送信装置４０５には第一の送信アンテナまたは複数の送信アンテナを備えてもよく、受信装置には自身のアンテナを備えてもよく、または同じアンテナを使用してもよい。
【０１２２】
ある実施形態では、好ましい前置符号化重みベクトルまたはその関連のコードブック・インデックスを見付け出すための評価に基づき、符号テキスト／信号を選択するよう、制御ユニット４０１を構成してもよい。
【０１２３】
異なる基準により好ましい前置符号化重みベクトルを獲得してもよく、例えば、最良のスループット性能を実現するための懸命な探索を通して、前置符号化重みベクトルを獲得してもよい。
【０１２４】
更に、ユーザ装置には、制御ユニット４０１で遂行する場合、本方法を実行するため、符号テキストおよびアプリケーションまたはそのいずれかを格納するよう構成したメモリ・ユニット４０７を備えてもよい。
【０１２５】
ユーザ装置は、端末のその他の部品を直接的または間接的に支えるケースとカバーとを含む支持構造のような、追加の構成を含む移動デバイスであってもよい。移動デバイスは、キーパッドおよび、好ましくはマイクロフォンをもまた備えるユーザ入力インタフェースを有するよう更に工夫されていてもよい。また、ユーザ入力インタフェースには、キーパッドに加えてまたはその代わりに、タッチ検知ディスプレイを備えてもよい。更に、移動デバイスのユーザ出力インタフェースには、ディスプレイ、および好ましくはスピーカもまた備える。電源は、好ましくは、バッテリおよび、トランスフォーマを経由して電源差込口への接続のためのケーブル・ソケットの形式で移動デバイスに含まれる。
【０１２６】
図面および明細書で、本発明の典型的な実施形態を開示した。しかしながら、本発明の原理から実質的に逸脱すること無しに、多くの変更と修正がこれらの実施形態に行うことができる。従って、特別な用語を採用しているが、それらは一般的で説明的意味でのみで、そして制限の目的ではなく使用しており、本発明の範囲は以下の特許請求範囲で定められる。
【図１】
0005374587.tif 000004
【図２】
0005374587.tif 000005
【図３】
0005374587.tif 000006
【図４】
0005374587.tif 000007
【図５】
0005374587.tif 000008
【図６】
0005374587.tif 000009
【図７】
0005374587.tif 000010
【図８】
0005374587.tif 000011
【図９】
0005374587.tif 000012
【図１０】
0005374587.tif 000013
【図１１】
0005374587.tif 000014
【図１２】
0005374587.tif 000015
【図１３】
0005374587.tif 000016
【図１４】
0005374587.tif 000017
【図１５】
0005374587.tif 000018